(57)【要約】      （修正有）【課題】対向電極の電圧波形の極性反転に伴うリーク電流の発生を抑制する。【解決手段】表示装置１は、１周期期間内において複数の走査信号線を順次走査することにより表示を行う表示装置において、走査信号線と交差する複数のデータ信号線と、データ信号線に接続された画素電極と、画素電極に対向配置されて周期期間毎に印加電圧の極性が反転される対向電極とを備える。周期期間は、走査信号線を一巡走査する走査期間と、走査信号線が走査されない非走査期間とを含み、非走査期間において、ゲート・ドレイン間電圧を所定電圧以上に保持し、対向電極への印加電圧の極性反転による、画素電位とゲートオフ電位との電圧差の減少を低減する。非走査期間において、周期期間毎の対向電極の電圧の極性反転にかかわらず、対向電極に印加する電圧の極性を何れか一方に固定する。【選択図】図４
2008089851.tif 000002
【特許請求の範囲】
【請求項１】
１周期期間内において複数の走査信号線を順次走査することにより表示を行う表示装置において、
前記走査信号線と交差する複数のデータ信号線と、
前記データ信号線に接続された画素電極と、
前記画素電極に対向配置され、前記周期期間毎に印加電圧の極性が反転される対向電極と
を備え、
前記画素電極の各々に接続されたＴＦＴ素子を備え、
前記ＴＦＴ素子のゲート端子は走査信号線に接続され、ソース端子はデータ信号線に接続され、ドレイン端子は画素電極に接続され、
前記１周期期間は、走査信号線を一巡走査する走査期間と、走査信号線が走査されない非走査期間とを含み、
前記非走査期間において、前記ＴＦＴのゲート端子・ドレイン端子間電圧を所定電圧以上に保持し、対向電極への印加電圧の極性反転による、画素電極電位と非走査時のゲート端子電位との電位差の減少を低減することを特徴とする、表示装置。
【請求項２】
前記非走査期間において、周期期間毎の印加電圧の極性反転にかかわらず、対向電極に印加する電圧の極性を何れか一方に固定することを特徴とする、請求項１に記載の表示装置。
【請求項３】
１周期期間内において複数の走査信号線を順次走査することにより表示を行う表示装置において、
前記走査信号線と交差する複数のデータ信号線と、
前記データ信号線にＴＦＴを介して電気的に接続された画素電極と、
前記画素電極に対向配置された対向電極とを備え、
前記１周期期間は、前記走査信号線を一巡走査する走査期間と、前記走査信号線が走査されない非走査期間とを含み、
前記１周期期間毎に、前記走査期間において前記対向電極にローレベルの電位とハイレベルの電位の間で交互に電位を反転させて印加し、
前記非走査期間において前記対向電極にローレベルの電位またはハイレベルの電位の何れか一方の電位を印加することを特徴とする、表示装置。
【請求項４】
前記画素電極と前記対向電極との間に液晶層を備える液晶表示装置であり、
全ての非走査期間において対向電極にハイレベルの電位を印加することを特徴とする、請求項３に記載の表示装置。
【請求項５】
前記画素電極と前記対向電極との間に有機層を備える有機ＥＬ表示装置であり、
全ての非対向電極にローレベルの電位を印加することを特徴とする、請求項３に記載の表示装置。
【請求項６】
１周期期間内において複数の走査信号線を順次走査することにより表示を行う表示装置において、
前記走査信号線と交差する複数のデータ信号線と、
前記データ信号線に接続された画素電極と、
前記画素電極に対向配置された対向電極と、
前記画素電極の各々に接続されたＴＦＴ素子を備え、
前記ＴＦＴ素子のゲート端子は走査信号線に接続され、ソース端子はデータ信号線に接続され、ドレイン端子は画素電極に接続され、
前記１周期期間は、
前記走査信号線を一巡走査する走査期間と、前記走査信号線が走査されない非走査期間とを含み、
前記１周期期間毎に、前記走査期間および非走査期間において前記対向電極にローレベルの電位とハイレベルの電位の間で交互に電位を反転させて印加し、
対向電極にハイレベルの電位が印加される非走査期間において、ゲート端子に第１のゲートオフ電位を印加し、
対向電極にローレベルの電位が印加される非走査期間において、ゲート端子に前記第１のゲートオフ電位よりも低電位の第２のゲートオフ電位を印加することを特徴とする、表示装置。
【請求項７】
前記１周期期間は、フィールドシーケンシャルによる液晶駆動において１つの画像を表示するフィールド期間又はフレーム期間であり、
前記周期期間内の走査期間において複数のデータ信号線にデータ信号を順次印加することを特徴とする、請求項１から請求項６の何れか１つに記載の表示装置。
【発明の詳細な説明】
【技術分野】
【０００１】
本発明は、表示装置に関し、薄膜トランジスタ（ＴＦＴ）を表示画素選択用のスイッチング素子として備える表示パネルを備えた表示装置に関する。
【背景技術】
【０００２】
薄膜トランジスタ（ＴＦＴ）を表示画素選択用のスイッチング素子として備える表示パネルを備えた表示装置として、例えば、液晶表示装置や有機ＥＬ表示装置が知られている。このような表示装置では、ＴＦＴによって各画素の表示選択を行う際、例えば、残像現象を低減する為に、対向電極の電圧の極性をライン毎やフレーム毎に反転させている。また、反転駆動によれば、残像現象を低減する効果の他に、フレーム反転駆動や水平ライン反転駆動では、対向電極に印加される対向電極電圧を、反転タイミングと同期して極性反転させることによって、信号線に印加する電圧振幅を半減することができるという効果を奏することができる。
【０００３】
図１５は、表示装置において、対向電極に印加する電圧の極性を反転させる例を示している。表示装置は、ゲート信号を順次印加することによって表示パネルが備える各画素を選択して駆動する（図１５（ｂ））。通常、フレーム毎に対向電極の極性を反転する場合には、対向電極の電圧波形は一定のフレーム周波数に同期した矩形波形となる（例えば、図１１５（ａ））。このとき、フレーム毎に対向電極に印加する電圧の極性を反転させることで、「焼き付き」と呼ばれる残像現象を低減する他に、駆動電圧を低減させたり、駆動回路を簡略化することができる。
【０００４】
ＴＦＴ駆動による表示装置では、ゲート信号によって各画素のＴＦＴを順次走査して選択駆動することで表示を行う走査期間と、各画素のＴＦＴの駆動を行わない非走査期間の２つの期間を含んでいる。
【０００５】
図１６は、走査期間と非走査期間を含む周期駆動における対向電極の電圧波形の反転を説明するための図である。図１６において、走査期間と非走査期間によって１サブフレームが構成される。
【０００６】
なお、図１６（ａ）は対向電極電位を示し、図１６（ｂ）はゲート信号を示している。
【０００７】
このサブフレーム毎に走査期間での対向電極の電圧の極性を反転させる。
【０００８】
特許文献１には、非走査期間でフィールド毎に対向電極の電圧の極性を反転させる表示装置が開示されている。
【特許文献１】特開２００３−３３０４２５号
【発明の開示】
【発明が解決しようとする課題】
【０００９】
従来の表示装置では、対向電極の電圧波形の極性が反転した際、リーク電流が発生して画素内の電荷がソース線に流出するという問題がある。
【００１０】
このようなリーク電流の発生を抑えるには、対向電極の電圧を下げるか、あるいはソース線の電圧の振幅を小さくすることによって、ゲート・ドレイン間電圧を小さくしなければならない。しかしながら、このように対向電極の電圧を下げたり、ソース線の電圧の振幅を小さくすると、十分なコントラストが得られないという問題が発生する。
【００１１】
カラー液晶表示の方式として、異なる波長の複数の光を所定周期で順次発光すると共に、この光源の発光タイミングに同期して液晶を駆動させることでカラー表示を行うフィールドシーケンシャルカラー（以下ＦＳＣと略記する）方式が知られているが、このＦＳＣ方式では、液晶の高速応答が求められ、そのために高電圧を印加する必要があるため、前述したように、対向電極の電圧やソース線の電圧の振幅を低下させることでリーク電流の発生を抑えた場合には、良好なコントラストが得られないという問題がより顕著となる。
【００１２】
そこで、本発明は、上記した課題を解決し、対向電極の電圧の極性を反転して印加する表示装置の駆動態様において、対向電極の電圧波形の極性反転に伴うリーク電流の発生を抑制することを目的とする。
【００１３】
また、コントラストの特性を低下させることなく、対向電極の電圧波形の極性反転に伴うリーク電流の発生を抑制することを目的とする。
【課題を解決するための手段】
【００１４】
対向電極の電圧波形の極性反転時にリーク電流が発生するのは、対向電極の電圧波形の極性反転によって、画素電圧電位がシフトしゲートオフ電位に近づき、ＴＦＴ素子のゲート・ドレイン間電圧が小さくなるためである。
【００１５】
本発明は、上記知見に基づいて、対向電極の電圧波形の極性が反転した際に、ＴＦＴ素子のゲート・ドレイン間電圧が小さくならいないようにすることで、リーク電流の発生を抑制するものである。
【００１６】
図１は、周期期間内でのゲート・ドレイン間電圧を説明するための図である。
【００１７】
画素電極電位（ドレイン電位）１０４は、対向電極電位１０３をベースとしてゲート信号がゲートオン電位である期間のソース電位１０２で定まる。ソース電位１０２は表示データに対応した電位を所定の範囲の中から選択することによって決まる。
【００１８】
ゲート信号がゲートオフ電位の期間では、画素電極電位１０４と対向電極電位１０３の電位差が保持されるため、対向電極電位１０３がハイレベルからローレベルに反転すると、画素電極電位（ドレイン電位）１０４もこの反転に伴って変動する。
【００１９】
図１において、ゲート・ドレイン間電圧Ｖgdは、ゲート信号１０１と画素電位（ドレイン電位）１０４との間の電位差である。ソース電位１０２は所定の範囲から選択されるため、画素電位（ドレイン電位）１０４もある範囲（図１中で太い実線で示す画素電位１０４Ｈと、太い破線で示す画素電位１０４Ｌの間の範囲）を持つ。
【００２０】
リーク電流は、画素電位（ドレイン電位）がゲートオフ電位に近い電位のものがより流れ易いため、ここでは、リーク電流に係わるゲート・ドレイン間電圧Ｖgdとして、太い破線で示される画素電位（ドレイン電位）１０４Ｌに注目し、この画素電位（ドレイン電位）１０４Ｌとゲート信号１０１との間の電位差が考慮すべき事項となる。
【００２１】
画素電位（ドレイン電位）１０４は、対向電極電位１０３がハイレベルからローレベルに反転することによってゲートオフ電位に近づくため、これによって、ゲート・ドレイン間電圧Ｖgdは零に近づく。このゲート・ドレイン間電圧Ｖgdが零に近づくことで、ＴＦＴのドレイン端子とソース端子との間の電流が流れ易くなり、画素電極に蓄積される電荷がＴＦＴを通ってソース線に流出する。
【００２２】
図２は、このゲート・ドレイン間電圧Ｖgdと対向電極の共通電位Ｖcomとの関係を示し、図３はゲート・ドレイン間電圧Ｖgdとソース・ドレイン間電流Ｉsdとの関係を示す特性図である。前述したように、ゲートオフ期間において、対向電極電位（Ｖcom）１０３がローレベルの場合のゲート・ドレイン間電圧Ｖgdは、対向電極電位（Ｖcom）１０３がハイレベルの場合のゲート・ドレイン間電圧Ｖgdよりも零に近づく。このゲート・ドレイン間電圧Ｖgdとリーク電流との関係は、図３によって説明することができる。なお、図１〜３中に丸付き数字１〜丸付き数字６はそれぞれ対応する期間を示している。
【００２３】
図３（ａ）は対向電極電位（Ｖcom）１０３がハイレベルの場合を示している。このとき、ゲートオン期間（図３（ａ）中の丸付き数字２）ではＴＦＴがオン状態となって、ドレイン端子とソース端子との間に電流Ｉsdが流れ、画素電極への充電が行われる。また、ゲートオフ期間（図１３（ａ）中の丸付き数字１，丸付き数字３）ではＴＦＴがオフ状態となり、画素電極に蓄積された電荷がドレイン端子およびソース端子を通ってソース線への流出が抑えられる。
【００２４】
一方、図３（ｂ）は対向電極電位（Ｖcom）１０３がローレベルの場合を示している。このとき、ゲートオン期間（図３（ｂ）中の丸付き数字５）では、ＴＦＴがオン状態となって、前述したと同様にドレイン端子とソース端子との間に電流Ｉsdが流れ、画素電極への充電が行われる。また、対向電極電位１０３の極性反転後のゲートオフ期間（図３（ｂ）中の丸付き数字４）では、ＴＦＴは電流特性からオフ状態とならず、電流が僅かに流れるリーク状態となるため、画素電極に蓄積された電荷がドレイン端子およびソース端子を通ってソース線へ流出する。
【００２５】
そこで、本出願の発明者は、上述したゲート・ドレイン間電圧Ｖgdとソース・ドレイン間電流Ｉsdとの関係に基づいて、非走査期間において、ゲート・ドレイン間電圧Ｖgdが零付近から離れるようにすることで、より詳細には、ゲート・ドレイン間電圧Ｖgdが負の方向に大きくなるようにすることで、リーク電流の発生を抑制できることを見出した。
【００２６】
本発明の表示装置は、１周期期間内において複数の走査信号線を順次走査することにより表示を行う表示装置において、走査信号線と交差する複数のデータ信号線と、データ信号線に接続された画素電極と、画素電極に対向配置されて周期期間毎に印加電圧の極性が反転される対向電極とを備える。ここで周期期間は、走査信号線を一巡走査する走査期間と、走査信号線が走査されない非走査期間とを含んでいる。
【００２７】
本発明の表示装置は非走査期間において、ゲート・ドレイン間電圧を所定電圧以上に保持する。これによって、対向電極への印加電圧の極性反転によって生じる画素電極電位とゲートオフ電位との電位差の減少を低減する。
【００２８】
ここで、本発明の表示装置は、ゲート・ドレイン間電圧を所定電圧以上に保持する一態様として、非走査期間において、走査期間における周期期間毎の対向電極の電圧の極性反転にかかわらず、対向電極に印加する電圧の極性を何れか一方に固定する態様を備える。
【００２９】
この態様では、対向電極の印加電圧の極性を固定することにより、走査期間から非走査期間に切り替わる際に、対向電極の印加電圧の極性の変化に伴ってゲートオフ電位に近づかないようにする。より具体的には、対向電極の電圧波形の極性をゲート・ドレイン間電圧Ｖgdが負の方向に大きくなるよる極性に固定する。これによって、走査期間における対向電極の電圧波形の極性反転にかかわらず、非走査期間においてリーク電流の発生を抑制する。
【００３０】
また、対向電極に印加する電圧の極性を何れか一方に固定する態様において、より詳細には、非走査期間において対向電極にローレベルの電位またはハイレベルの電位の何れか一方の電位を印加する。
【００３１】
ここで、表示装置が、画素電極と対向電極との間に液晶層を備える液晶表示装置である場合には、全ての非走査期間において対向電極にハイレベルの電位を印加する。また、表示装置が、画素電極と対向電極との間に有機層を備える有機ＥＬ表示装置である場合には、全ての非対向電極にローレベルの電位を印加する。
【００３２】
本発明の表示装置は、ゲート・ドレイン間電圧を所定電圧以上への保持は、他の態様によっても行うことができる。この他の態様は、非走査期間において、対向電極に印加する電圧の極性の反転に伴ってゲート電極に印加する電圧を変更することで、走査期間から非走査期間に切り替わる際に、対向電極の印加電圧の極性の変化に伴う画素電極の電位の変化に対してゲート電極の電位を変更し、これにより、非走査期間内では、画素電極の電位がゲートオフ電位に常に近づかないようにする。
【００３３】
このゲート電極に印加する電圧を変更する態様において、本発明の表示装置は、１周期期間内において複数の走査信号線を順次走査することにより表示を行う表示装置において、走査信号線と交差する複数のデータ信号線と、データ信号線に接続された画素電極と、画素電極に対向配置された対向電極と、画素電極の各々に接続されたＴＦＴ素子を備え、ＴＦＴ素子のゲート端子は走査信号線に接続され、ソース端子はデータ信号線に接続され、ドレイン端子は画素電極に接続される。
【００３４】
ここで、１周期期間は、走査信号線を一巡走査する走査期間と、走査信号線が走査されない非走査期間とを含み、１周期期間毎に、走査期間および非走査期間において前記対向電極にローレベルの電位とハイレベルの電位の間で交互に電位を反転させて印加する。この際、対向電極にハイレベルの電位が印加される非走査期間において、ゲート端子に第１のゲートオフ電位を印加し、対向電極にローレベルの電位が印加される非走査期間において、ゲート端子に第１のゲートオフ電位よりも低電位の第２のゲートオフ電位を印加する。
【００３５】
このように、非走査期間において、対向電極に印加される電位がハイレベルかローレベルかによって、ゲートオフ電位を第１のゲートオフ電位からより低電圧の第２のゲートオフ電位に切り換えることによって、非走査期間内では画素電極の電位がゲートオフ電位に常に近づかないようにする。
【００３６】
なお、上述した１周期期間は、フィールドシーケンシャルによる液晶駆動において１つの画像を表示するフィールド期間又はフレーム期間とすることができ、周期期間内の走査期間において複数のデータ信号線にデータ信号を順次印加する。
【発明の効果】
【００３７】
本発明の表示装置によれば、対向電極の電圧の極性を反転して印加する表示装置の駆動態様において、対向電極の電圧波形の極性反転に伴うリーク電流の発生を抑制することができる。
【００３８】
また、コントラストの特性を低下させることなく、対向電極の電圧波形の極性反転に伴うリーク電流の発生を抑制することができる。
【発明を実施するための最良の形態】
【００３９】
以下、本発明の液晶表示装置について図を用いて詳細に説明する。
【００４０】
図４は、本発明の表示装置の構成例を説明するための概略構成図である。
【００４１】
本発明の表示装置１は、表示を行う表示パネル２と、表示パネル２が備える走査線に走査信号を供給する走査信号ドライバ４と、表示パネル２が備えるデータ信号線にデータ信号を供給するデータ信号ドライバ５と、表示パネル２が備える画素電極と対向して配置される対向電極３と、この対向電極３を駆動する対向電極ドライバ６を備える。
【００４２】
なお、ここでは、表示パネル２としては、アクティブマトリクス型の液晶パネルを例として説明するが、有機ＥＬパネルとしてもよい。
【００４３】
表示パネル２は、例えば、画像の水平走査線に対応する複数本の走査信号線と、この走査信号線と交差する複数本のデータ信号線（画像信号線）と、それら走査信号線とデータ信号線との交差点に対応して設けられた複数の画素（図４には示していない）を含む。画素は、画像信号線を介して外部の信号源からの画像信号を受けて画像を表示する。
【００４４】
外部のＣＰＵ等の信号源は、ＲＧＢ信号等の画像データや、表示動作のタイミング等を決める表示用クロックの周波数等の表示制御データなどを含む画像信号を、ＲＧＢインターフェース８を介して表示制御回路７に供給する。表示制御回路７は、供給された画像信号に基づいて、表示用クロック信号や、水平同期信号、垂直同期信号、スタートパルス信号、ラッチストローブ信号等を生成する。
【００４５】
また、表示制御回路７は、画像データを信号処理して、赤色Ｒ、緑色Ｇ、青色Ｂの各色の階調を表し画像信号を生成し、データ信号ドライバ５に出力する。また、表示制御回路７は、クロック信号、スタートパルス信号、ラッチストローブ信号、及び画像信号をデータ信号ドライバ５に出力し、水平同期信号及び垂直同期信号を走査ドライバ４に出力する。
【００４６】
データ信号ドライバ５は、表示パネル２に表示する画像データが画素単位で供給される他に、タイミング信号としてクロック信号、スタートパルス信号、ラッチストローブ信号が供給される。データ信号ドライバ５は、これら各信号に基づいて表示パネル２を駆動するための画像信号を生成し、表示パネル２の各画像信号線に出力する。
【００４７】
走査信号ドライバ４は、水平同期信号及び垂直同期信号に基づいて走査信号を生成し各走査信号線に出力する。走査信号は、表示パネル２の走査信号線を１水平走査期間ずつ順次に選択する。全走査信号線のそれぞれを順に選択するためのアクティブな走査信号の各走査信号線への印加を１垂直走査期間を周期として繰り返す。
【００４８】
また、表示制御回路７からは、対向電極ドライバ６に対向電極の印加電圧の極性を反転させるＦＲＰ信号を供給する。対向電極ドライバ６は、このＦＲＰ信号に基づいて、対向電極に印加する電圧の極性反転を制御する。
【００４９】
また、表示制御回路７は、所定の周期期間による駆動を繰り返すことで全画像データを表示することができ、異なる波長の複数の光を所定周期で順次発光すると共に、この光源の発光タイミングに同期して液晶を駆動させるフィールドシーケンシャルカラーでカラー表示を行うことができ、この所定周期期間としては、例えば、１つの画像を表示するフィールド期間又はフレーム期間とすることができる。
【００５０】
図５は、本発明の表示装置が備える本発明パネルとしても液晶パネルの一画素の等価回路図である。表示パネル２は、複数のデータ信号線と複数の走査信号線とを備える。データ信号線は、図示しない信号線選択回路を介してデータ信号ドライバ５に接続され、走査信号線は、走査ドライバ４に接続される。
【００５１】
複数のデータ信号線と複数の走査信号線は、それぞれが交差するように格子状に配設され、この交差点に対応して複数の画素１０が設けられている。各画素１０は、図５に示すように、対応する交差点を通過するデータ信号線２２にソース端子Ｓが接続されたＴＦＴトランジスタ１２と、そのＴＦＴトランジスタ１２のドレイン端子Ｄに接続された画素電極１１と、複数の画素１０に共通的に設けられた共通電極１３と、複数の画素１０に共通的に設けられて画素電極１１と共通電極１３との間に挟持された液晶層（図示していない）とを備え、画素電極１１と共通電極１３とそれらの間に挟持された液晶層（図示していない）とにより画素容量Ｃｐが形成される。また、ＴＦＴトランジスタ１２のゲート端子Ｇは走査信号線２１に接続される。なお、有機ＥＬの場合には、画素電極１１と共通電極１３との間に有機層が挟持される。また、対向電極１３は対向電極線２３に接続される。
【００５２】
以下、本発明の表示装置のゲート・ドレイン間電圧を所定電圧以上に保持する一態様を説明する。この態様は、非走査期間において、走査期間における周期期間毎の対向電極の電圧の極性反転にかかわらず、対向電極に印加する電圧の極性を何れか一方に固定する態様である。
【００５３】
図６は対向電極に印加する電圧の極性をハイレベルに固定する態様であり、表示装置として液晶表示装置に適用する例である。なお、図６（ａ）は対向電極電位を示し、図６（ｂ）はゲート信号を示している。
【００５４】
本発明の表示装置では、対向電極電位の極性反転において、走査期間においてはサブフレーム毎に極性を反転させるが、非走査期間においてはサブフレーム毎に極性を反転させることなく、常に一方の極性に固定する。液晶表示装置では、非走査期間において対向電極の電圧波形の極性を常にハイレベルに固定する。
【００５５】
これによって、ゲート・ドレイン間電圧Ｖgdが零に近づかないようにしてリーク電流の発生を抑制する
【００５６】
また、図７は対向電極に印加する電圧の極性をローレベルに固定する態様であり、表示装置として有機ＥＬ表示装置に適用する例である。なお、図７（ａ）は対向電極電位を示し、図７（ｂ）はゲート信号を示している。
【００５７】
本発明の表示装置では、対向電極電位の極性反転において、走査期間においてはサブフレーム毎に極性を反転させるが、非走査期間においてはサブフレーム毎に極性を反転させることなく、常にローレベルに固定する。これは、液晶ではゲートがプラス側に振れるＮ型の特性であるのに対して、有機ＥＬではゲートがマイナス側に振れるＰ型の特性であるからである。
【００５８】
これによって、ゲート・ドレイン間電圧Ｖgdが零に近づかないようにしてリーク電流の発生を抑制する。
【００５９】
以下、本発明の表示装置として液晶表示装置の場合について、図８，９のゲート・ドレイン間電圧Ｖgdと対向電極の共通電位Ｖcomとの関係を示す関係図、および図９のゲート・ドレイン間電圧Ｖgdとソース・ドレイン間電流Ｉsdとの関係を示す特性図を用いて、より詳細に説明する。
【００６０】
図８はゲート信号１０１、ソース電位１０２、対向電極電位（Ｖcom）１０３、画素電位（ドレイン電位）１０４を示し、図９はゲート・ドレイン間電圧Ｖgdを示している。
【００６１】
ゲート信号１０１は、ＴＦＴのゲート端子に入力される信号であり、走査期間内においてゲートオン電位を印加することによってＴＦＴをオン状態とし、この間にソース線から画素電極に電流を流して、画素電極と対向電極との間の容量を充電する。このゲートオン電位の印加は、走査期間内において、表示パネルが備える各画素電極に対して順次走査して行われる。なお、図８に示すゲート信号は、表示パネルが備える複数の画素電極中の一つの画素電極に印加する電位を示している。
【００６２】
ソース電位１０２は表示データに対応した電位を所定の範囲の中から選択することによって決まり、前記した走査期間内において、ＴＦＴがオン状態となることで、ソース線から画素電極に印加される。
【００６３】
対向電極電位（Ｖcom）１０３は、ソース電位１０２で充電された画素電極の電位（ドレイン電位）１０４を周期期間毎に反転させるための電位である。本発明の表示装置では、周期期間毎に、走査期間では交互にローレベルとハイレベルとの間で切り換えを行い、非走査期間では常にハイレベルに固定する。これによって、少なくとも、一つ置きの走査期間において、対向電極電位（Ｖcom）１０３はローレベルとなり、一つ前の周期期間との間で反転が行われる。
【００６４】
図８，９中の非走査期間において、対向電極電位(Vcom)１０３は常にハイレベルに設定するため、ローレベルへの反転はないので、画素電極電位(ドレイン電位)はゲートオフ電位とはある一定以上の電位差を有するので、ゲート・ドレイン間電圧Vgdは十分に低くなり、リーク電流を低減する。
【００６５】
図１０はゲート・ドレイン間電圧Ｖgdとソース・ドレイン間電流Ｉsdとの関係を示す特性図である。図８〜１０中の丸付き数字１〜丸付き数字６はそれぞれ対応する期間を示している。非走査期間では対向電極電位がローレベルの期間（丸付き数字４，丸付き数字６）においてもリーク電流が発生していないことを示している。
【００６６】
なお、前述の説明では、液晶表示装置について、非走査期間において対向電極の電位をハイレベルに固定する例について示した、例えば、有機ＥＬ表示装置のように逆特性の場合についても同様であり、このときには非走査期間において対向電極の電位をローレベルに固定することで、ゲート・ドレイン間電圧Ｖgdを零から離して、これによってリーク電流を低減することができる。ここでは、対向電極の電位をローレベルに固定する例については説明を省略する。
【００６７】
次に、本発明の表示装置のゲート・ドレイン間電圧を所定電圧以上に保持する別の態様を説明する。この態様は、非走査期間において、対向電極に印加する電圧の極性の反転に伴ってゲート電極に印加する電圧を変更することで、走査期間から非走査期間に切り替わる際に、対向電極の印加電圧の極性の変化に伴う画素電極の電位の変化に対してゲート電極の電位を変更し、これによって、非走査期間内では、画素電極の電位がゲートオフ電位に常に近づかないようにするものである。
【００６８】
したがって、この態様では、前述した態様のように非走査期間において対向電極に印加する電圧の極性を何れか一方に固定することなく、走査期間と同様に、対向電極に印加する電圧の極性を反転させる態様にも適用することができる。
【００６９】
図１１は、対向電極に印加する電圧の極性の反転に伴ってゲート電極に印加する電圧を変更し、これによって対向電極の印加電圧の極性の変化に伴う画素電極の電位の変化に対してゲート電極の電位を変更する態様である。なお、図１１（ａ）は対向電極電位を示し、図１１（ｂ）はゲート信号を示している。
【００７０】
ここで、対向電極の電圧波形の極性を、サブフレーム毎に反転する。この態様の表示装置では、周期期間が含む走査期間および非走査期間おいてサブフレーム毎に、対向電極の電位の極性を反転させる。このとき、対向電極の電圧がローレベルである場合には、ゲート電極に印加する電圧を変更する（ここでは下げる）ことによって、ゲート・ドレイン間電圧Ｖgdが零に近づかないようにしてリーク電流の発生を抑制する。
【００７１】
以下、本発明の表示装置として液晶表示装置の場合について、図１２，１３のゲート・ドレイン間電圧Ｖgdとゲート電位Ｖgateとの関係を示す図、および図１４のゲート・ドレイン間電圧Ｖgdとソース・ドレイン間電流Ｉsdとの関係を示す特性図を用いて、より詳細に説明する。
【００７２】
図１２，１３は、ゲート信号１０１、ソース電位１０２、対向電極電位（Ｖcom）１０３、画素電位（ドレイン電位）１０４の各電位と、ゲート・ドレイン間電圧Ｖgdを示している。
【００７３】
ソース電位１０２は表示データに対応した電位を所定の範囲の中から選択することによって決まり、前記した走査期間内において、ＴＦＴがオン状態となることで、ソース線から画素電極に印加される。
【００７４】
対向電極の共通電位（Ｖcom）１０３は、ソース電位１０２で充電された画素電極の画素電位（ドレイン電位）１０４を周期期間毎に反転させるための電位である。本発明の表示装置では、周期期間毎に、走査期間および非走査期間において交互にローレベルとハイレベルとの間で切り換えを行う。これによって周期期間毎に反転が行われる。
【００７５】
ゲート信号１０１は、ＴＦＴのゲート端子に入力される電圧であり、走査期間内においてゲートオン電位を印加することによってＴＦＴをオン状態とし、この間にソース線から画素電極に電流を流して、画素電極と対向電極との間の容量を充電する。このゲートオン電位の印加は、走査期間内において、表示パネルが備える各画素電極に対して順次走査して行われる。なお、図１２に示すゲート信号は、表示パネルが備える複数の画素電極中の一つの画素電極に印加する電位を示している。
【００７６】
また、この態様のゲート信号１０１は、対向電極電位（Ｖcom）１０３がハイレベルからローレベルに切り替わった際に、ハイレベルのときの電位よりも低い電位に変更する。これにより、図１２中の破線で示す画素電位（ドレイン電位）１０４とゲート信号１０１との間のゲート・ドレイン間電圧Ｖgdは広がり、ゲート・ドレイン間電圧Ｖgdは零から離れてリーク電流の発生を抑制する。
【００７７】
図１４はゲート・ドレイン間電圧Ｖgdとソース・ドレイン間電流Ｉsdとの関係を示す特性図であり、非走査期間では対向電極電位がローレベルの期間（丸付き数字４，丸付き数字６）においてもリーク電流が発生していないことを示している。なお、図１２〜１４中の丸付き数字１〜丸付き数字６はそれぞれ対応する期間を示している。
【００７８】
本発明の態様によれば、対向電極の電圧やソース線に電圧の振幅を小さくすることなく、画素電位がゲートオフ電位に近づかないようにしてリーク電流の発生量を低減することができるため、高いコントラストおよび高速応答による表示が可能である。
【００７９】
また、本発明の態様によれば、対向電極の電位の極性反転による表示を維持することができるため、残像現象の低減、駆動電圧の低減、および駆動回路の簡略化等の極性反転による効果を継続することができる。
【００８０】
以上、本発明の液晶表示装置について、好ましい実施形態を示して説明したが、本発明に係る液晶表示装置は、上述した実施形態にのみ限定されるものではなく、本発明の範囲で種々の変更実施が可能であることは言うまでもない。 
【図面の簡単な説明】
【００８１】
【図１】周期期間内でのゲート・ドレイン間電圧を説明するための図である。
【図２】従来の表示装置のゲート・ドレイン間電圧Ｖgdと対向電極の共通電位Ｖcomとの関係を示す図である。
【図３】従来の表示装置のゲート・ドレイン間電圧Ｖgdとソース・ドレイン間電流Ｉsdとの関係を示す特性図である。
【図４】本発明の表示装置の構成例を説明するための概略構成図である。
【図５】本発明の表示装置が備える本発明パネルとしても液晶パネルの一画素の等価回路図である。
【図６】本発明の対向電極に印加する電圧の極性をハイレベルに固定する態様であり、表示装置として液晶表示装置に適用する例を示す図である。
【図７】本発明の対向電極に印加する電圧の極性をローレベルに固定する態様であり、表示装置として有機ＥＬ表示装置に適用する例を示す図である。
【図８】本発明の液晶表示装置のゲート・ドレイン間電圧Ｖgdと対向電極の共通電位Ｖcomとの関係を示す図である。
【図９】本発明の液晶表示装置のゲート・ドレイン間電圧Ｖgdと対向電極の共通電位Ｖcomとの関係を示す図である。
【図１０】本発明の液晶表示装置のゲート・ドレイン間電圧Ｖgdとソース・ドレイン間電流Ｉsdとの関係を示す特性図である。
【図１１】ゲート電位を変更する態様を示す図である。
【図１２】ゲート・ドレイン間電圧Ｖgdとゲート電位Ｖgateとの関係を示す図である。
【図１３】ゲート・ドレイン間電圧Ｖgdとゲート電位Ｖgateとの関係を示す図である。
【図１４】ゲート・ドレイン間電圧Ｖgdとソース・ドレイン間電流Ｉsdとの関係を示す特性図である。
【図１５】表示装置において、対向電極に印加する電圧の極性を反転させる例を示す図である。
【図１６】走査期間と非走査期間を含む周期駆動における対向電極の電圧波形の反転を説明するための図である。
【符号の説明】
【００８２】
１  表示装置
２  表示パネル
３  対向電極
４  走査ドライバ
５  データ信号ドライバ
６  対向電極ドライバ
７  表示制御回路
８  ＲＧＢインターフェース
１０  画素
１１  画素電極
１２  ＴＦＴ
１３  対向電極
２１  走査信号線
２２  データ信号線
２３  対向電極線
１０１  ゲート電位
１０２  ソース電位
１０３  共通電位
１０４  画素電位（ドレイン電位）
１１０  走査期間
１１１  非走査期間
１１２  走査期間
１１３  非走査期間
【図１】
2008089851.tif 000003
【図２】
2008089851.tif 000004
【図３】
2008089851.tif 000005
【図４】
2008089851.tif 000006
【図５】
2008089851.tif 000007
【図６】
2008089851.tif 000008
【図７】
2008089851.tif 000009
【図８】
2008089851.tif 000010
【図９】
2008089851.tif 000011
【図１０】
2008089851.tif 000012
【図１１】
2008089851.tif 000013
【図１２】
2008089851.tif 000014
【図１３】
2008089851.tif 000015
【図１４】
2008089851.tif 000016
【図１５】
2008089851.tif 000017
【図１６】
2008089851.tif 000018